(57)【要約】【課題】  原稿給送装置において、原稿のセットが容易でしかも読み取り後の原稿の取出しをスムーズに行うことができるようにする。【解決手段】  原稿給紙トレイ１１は原稿排紙トレイ１５の上側に位置しており、原稿給紙トレイに原稿がセットされると、トレイ駆動機構２４によって原稿給紙トレイをホームポジションから上方向に移動させて最上位に位置する原稿が原稿給送機構１２に対して原稿給送可能となる原稿給送可能位置に位置付ける。原稿の給送開始後、原稿給紙トレイ上の原稿の減少に応じて、原稿給紙トレイを上昇させて原稿給紙トレイの最上位に位置する原稿を原稿給送可能位置に位置付け、原稿給紙トレイ上の原稿が全て給送されると、原稿給紙トレイ上の原稿が全て給送された位置よりも、原稿給紙トレイを上昇させて原稿トレイ上方退避位置に位置付ける。【選択図】  図１
2006016093.tif 000002
【特許請求の範囲】
【請求項１】
原稿が積載される原稿積載部と、該原稿積載部から一枚ずつ原稿を原稿読み取り位置に給送する原稿給送機構と、前記原稿読み取り位置を通過した原稿が排紙される原稿排紙部とを有し、前記原稿積載部が前記原稿排紙部の上側に配置された原稿給送装置において、
前記原稿積載部は上下方向に移動可能に装置筐体に支持されており、
前記原稿積載部を前記上下方向に移動させる駆動機構と、
前記原稿積載部への原稿の積載を検知する原稿積載検知手段と、
該原稿積載検知手段によって原稿の積載が検知されると前記駆動機構を駆動制御して前記原稿積載部を予め定められた第１の位置から上方向に移動させて、最上位に位置する原稿を前記原稿給送機構に対して原稿給送可能となる第２の位置に位置付ける第１の制御手段と、
原稿の給送開始後、前記原稿積載部上の原稿の減少に応じて前記駆動機構を駆動制御して、前記原稿積載部を上昇させて前記原稿積載部の最上位に位置する原稿を前記第２の位置に位置付け、前記原稿積載部上の原稿が全て給送されると、前記駆動機構を制御して前記原稿積載部上の原稿が全て給送された位置よりも前記原稿積載部を上側に移動させて第３の位置に位置付ける第２の制御手段とを有することを特徴とする原稿給送装置。
【請求項２】
前記第１の位置は前記原稿積載部が前記原稿排紙部に当接する位置であることを特徴とする請求項１記載の原稿給送装置。
【請求項３】
前記原稿積載部が前記第１の位置に位置することを検知する下限位置検知手段と、
前記原稿積載部の最上位に位置する原稿が前記第２の位置に位置付けられたことを検知する上限位置検知手段とを有することを特徴とする請求項１又は２記載の原稿給送装置。
【請求項４】
前記原稿積載部に積載される原稿の最大量を検知する原稿リミット検知手段を備え、
前記第１の制御手段は、前記原稿リミット検知手段で検知される原稿量が前記最大量未満であると前記原稿積載部を前記第１の位置から前記第２の位置へ移動させる制御を行うようにしたことを特徴とする請求項１〜３いずれか１項記載の原稿給送装置。
【請求項５】
前記原稿排紙部に前記原稿が排紙されたか否かを検知する原稿排紙検知手段を有し、
前記第２の制御手段は、前記原稿排紙検知手段で原稿が検出され前記原稿積載検知手段で原稿が検出されない状態となると前記原稿積載部を前記第２の位置から前記第３の位置へ移動させる制御を行うようにしたことを特徴とする請求項１〜４いずれか１項記載の原稿給送装置。
【請求項６】
前記第２の制御手段によって前記原稿積載部が前記第２の位置から前記第３の位置へ移動した後、前記原稿排紙検知手段によって前記原稿排紙部に原稿がない状態が検知されると、前記駆動機構を制御して前記原稿積載部を下降させ該原稿積載部を前記第１の位置に位置付ける第３の制御手段を有することを特徴とする請求項５記載の原稿給紙装置。
【発明の詳細な説明】
【技術分野】
【０００１】
本発明は、複写機又はファクシミリ装置等の画像形成装置で用いられ、原稿を原稿読取位置に搬送するための原稿給送装置に関するものである。
【背景技術】
【０００２】
一般に、画像形成装置においては、多数枚の原稿（原稿束）を一枚ずつ分離して、スキャナー装置等の画像読取位置に給送（搬送）する原稿給送装置が備えられており、このような原稿給送装置では、原稿が積載（セット）される原稿給紙トレイが備えられ、原稿給紙トレイ上にセットされた原稿は、原稿搬送機構によって画像読取位置に送られ、ここで原稿の読み取りが行われた後、原稿は原稿排紙トレイに排出される。そして、原稿給送装置においては、原稿排紙トレイの上側に原稿給紙トレイが配置されることが多い。
【０００３】
複写機等の画像形成装置を用いてコピーを行う際には、ユーザはまず原稿を原稿給紙トレイ上にセットした後、例えば、コピーボタンを押すと、原稿の読み取りが行われて画像形成が開始される。そして、読み取り後の原稿は原稿排紙トレイに順次排出される。全ての原稿の読み取りが終了すると、ユーザは原稿排紙トレイから原稿を取り出すことになるが、この際原稿給紙トレイと原稿排紙トレイとの間隔が狭いと、原稿排紙トレイから原稿を容易に取り出せないことがある。
【０００４】
このような不具合に対処するため、つまり、原稿排紙トレイからの原稿取り出し性を向上させるため、原稿給紙トレイを、駆動部を備える第１の原稿給紙テーブルと、駆動部を有しない第２の原稿給紙テーブルとに分けて、第１及び第２の原稿給紙テーブルを独立させて回動可能として、原稿取り出しの際、第２の原稿給紙テーブルを第１の原稿給紙テーブルに対して回動させて、これによって、原稿排紙トレイの上部空間の必要な範囲だけを開けて、排紙された原稿の取り出し操作を容易にするようにしたものがある（特許文献１参照）。
【０００５】
【特許文献１】特開２００１−１３９１６２公報（段落（００２０）〜（００６４）、第１図〜第９図）
【発明の開示】
【発明が解決しようとする課題】
【０００６】
ところが、従来の原稿給送装置においては、第１及び第２の原稿給紙テーブルを独立ささせて回動として、原稿排紙トレイに排紙された原稿の取り出しを容易にしているものの、原稿排紙トレイから原稿を取り出す際に、第１の原稿給紙テーブルが邪魔となることがあり、特に、原稿枚数が多く両手で原稿を原稿排紙トレイから取り出す際には、第１の原稿給紙テーブルが邪魔となってしまうという課題がある。
【０００７】
さらに、従来の原稿給紙装置においては、原稿排紙トレイから原稿を取り出す際の取り出し操作容易性については考慮されているものの、原稿給紙トレイに原稿をセットする際の利便性については考慮されておらず、例えば、原稿給紙装置が画像形成装置の上部に配設されることを考えると、車椅子等を使用する身障者等身長の低い人にとっては原稿のセットが極めて面倒であるという課題がある。
【０００８】
従って、本発明はかかる従来技術の問題に鑑み、原稿のセットが容易でしかも読み取り後の原稿の取出しをスムーズに行うことのできる原稿給送装置を提供することを目的とする。
【課題を解決するための手段】
【０００９】
そこで、本発明はかかる課題を解決するために、原稿が積載される原稿積載部と、該原稿積載部から一枚ずつ原稿を原稿読み取り位置に給送する原稿給送機構と、前記原稿読み取り位置を通過した原稿が排紙される原稿排紙部とを有し、前記原稿積載部が前記原稿排紙部の上側に配置された原稿給送装置において、前記原稿積載部を上下方向に移動可能に装置筐体に支持して、前記原稿積載部を前記上下方向に移動させる駆動機構と、前記原稿積載部への原稿の積載を検知する原稿積載検知手段と、原稿積載検知手段によって原稿の積載が検知されると前記駆動機構を駆動制御して前記原稿積載部を予め定められた第１の位置から上方向に移動させて最上位に位置する原稿を前記原稿給送機構に対して原稿給送可能となる第２の位置に位置付ける第１の制御手段と、原稿の給送開始後前記原稿積載部上の原稿の減少に応じて前記駆動機構を駆動制御して、前記原稿載置部を上昇させて前記原稿積載部の最上位に位置する原稿を前記第２の位置に位置付け、前記原稿積載部上の原稿が全て給送されると、前記駆動機構を制御して前記原稿積載部上の原稿が全て給送された位置よりも前記原稿積載部を上側に移動させて第３の位置に位置付ける第２の制御手段とを有することを特徴とするものである。
【００１０】
本発明では、前記第１の位置は、例えば、前記原稿積載部が前記原稿排紙部に当接する位置であり、前記原稿積載部が前記第１の位置に位置することを検知する下限位置検知手段と、前記原稿積載部の最上位に位置する原稿が前記第２の位置に位置付けられたことを検知する上限位置検知手段とを有している。
【００１１】
さらに、本発明では、前記原稿積載部に積載される原稿の最大量を検知する原稿リミット検知手段を備え、前記第１の制御手段は、前記原稿リミット検知手段で検知される原稿量が前記最大量未満であると前記原稿積載部を前記第１の位置から前記第２の位置へ移動させる制御を行う。
【００１２】
また、本発明では、前記原稿排紙部に前記原稿が排紙されたか否かを検知する原稿排紙検知手段を有し、前記第２の制御手段は、前記原稿排紙検知手段で原稿が検出され前記原稿積載検知手段で原稿が検出されない状態となると前記原稿積載部を前記第２の位置から前記第３の位置へ移動させる制御を行う。
【００１３】
加えて、本発明では、前記第２の制御手段によって前記原稿積載部が前記第２の位置から前記第３の位置へ移動した後、前記原稿排紙検知手段によって前記原稿排紙部に原稿がない状態が検知されると、前記駆動機構を制御して前記原稿積載部を下降させ該原稿積載部を前記第１の位置に位置付ける第３の制御手段を有するようにしてもよい。
【発明の効果】
【００１４】
以上のように、本発明の原稿給送装置は、原稿積載部に原稿が積載されると、原稿積載部を予め定められた第１の位置から上方向に移動させて最上位に位置する原稿を原稿給送機構に対して原稿給送可能となる第２の位置に位置付け、原稿の給送開始後原稿積載部上の原稿の減少に応じて原稿積載部を上昇させて、原稿積載部の最上位に位置する原稿を第２の位置に位置付けつつ、原稿積載部上の原稿が全て給送されると、原稿積載部上の原稿が全て給送された位置よりも原稿積載部を上側に移動させて第３の位置に位置付けるようにしたから、原稿セットの際には原稿積載部の高さが低くなり、読み取り後の原稿を原稿排紙部から取り出す際には、原稿排紙部と原稿積載部との間隔が広くなる結果、原稿のセットが容易となりしかも読み取り後の原稿の取出しをスムーズに行うことができるという効果がある。
【００１５】
また、本発明では、第１の位置を、原稿積載部が原稿排紙部に当接する位置としたから、最大限原稿積載部の位置を低くすることができるという効果がある。
【００１６】
本発明では、原稿積載部に積載される原稿量が最大量未満であると原稿積載部を第１の位置から第２の位置へ移動させる制御を行うようにしたので、原稿積載部に多大な負荷が掛かることを防止できるという効果があり、さらに、原稿排紙部に原稿が排紙され原稿積載部上の原稿がなくなった状態で原稿積載部を第２の位置から第３の位置へ移動させる制御を行うようにしたので、原稿積載部に原稿が残った状態で誤って原稿積載部を上方に移動させてしまうことがない。
【００１７】
本発明では、原稿積載部が第２の位置から第３の位置へ移動した後、原稿排紙部に原稿がない状態となると、原稿積載部を下降させて、原稿積載部を第１の位置に位置付けるようにしたので、原稿セットの際には常に原稿積載部を最下限位置に位置付けることができる。
【発明を実施するための最良の形態】
【００１８】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１９】
まず、図１を参照して、図示の原稿給送装置１０は、画像形成装置（例えば、複写機）とともに用いられ、画像形成装置（図示せず）本体の上面側に配置される。そして、原稿給送装置１０は、原稿給紙トレイ（原稿積載部）１１及び原稿給送機構１２を備えており、原稿給紙トレイ１１上には原稿束が積載される。原稿給送機構１２では、原稿給紙トレイ１１上に積載された原稿束から原稿を一枚ずつ分離して、原稿を第１の画像読取位置ＧＰ１に搬送する。
【００２０】
そして、第１の画像読取位置ＧＰ１で第１のスキャナユニット（図示せず）によって原稿の一面上の画像が読み取られた後、原稿は第２の原稿読取位置ＧＰ２に送られて、第２のスキャナユニット１３によって原稿の他面上の原稿が読み取られる。そして、原稿は排紙ローラ対１６によって原稿給紙トレイ１１の下側に配置された原稿排紙トレイ１５に原稿が排紙される。
【００２１】
図示の原稿給送装置１０は両面印刷に対応したものであり、片面印刷の際には、例えば、第１の画像読取位置ＧＰ１でのみ原稿上の画像が読み取られることになる。なお、図示はしないが、画像形成装置においては、原稿読取によって得られた画像データに基づいて、感光体ドラム等の像担持体を露光して、像担持体上に静電潜像を形成する。そして、現像装置によって静電潜像を現像した後、像担持体上のトナー像を記録用紙に転写し、記録用紙上のトナー像を定着して、排紙トレイに排紙する。
【００２２】
図１に示すように、原稿給送機構１２は原稿給紙トレイ１１の後側（原稿搬送方向下流側）に配置されており、原稿給送機構１２には、原稿給紙ローラ部（以下単に給紙ローラ部と呼ぶ）１４が備えられており、この原稿給紙ローラ部１４は、ローラハウジング１４ａ、ピックアップローラ（ピックアップコロ）１４ｂ、フィード機構１４ｃ、及び分離ローラ１４ｄを有している。
【００２３】
フィード機構１４ｃは、一対のフィードローラ（フィードコロ）１４１を備えており、これらフィードローラ１４１にはフィードベルト１４２が張架され、フィードベルト１４２には分離ローラ１４ｄが当接している。そして、ピックアップローラ１４ｂ及びフィード機構１４ｃはローラハウジング１４ａに収納されており、分離ローラ１４ｄは、原稿給送機構１２のベース側に備えられている。そして、原稿搬送方向下流側に位置するフィードローラ１４１の軸芯を支点としてローラハウジング１４ａは揺動可能となっている。
【００２４】
図示の例では、原稿給紙トレイ１１は、原稿給送機構１２側（つまり、原稿搬送方向下流側）に位置する第１のトレイ部１１ａと、原稿搬送方向上流側に位置する第２のトレイ部１１ｂとを有しており、第２のトレイ部１１ｂは第１のトレイ部の後端（原稿搬送方向上流端）を支点として回動可能となっている。
【００２５】
原稿給紙トレイ１１は装置筐体に対して図中上下方向（図中実線矢印で示す方向）に移動可能に装置筐体に取り付けられており、第１のトレイ部１１ａの上面には原稿幅を規定する原稿ガイド２３が設けられている。第１のトレイ部１１ａ、つまり、原稿給紙トレイ１１はトレイ駆動機構２４によって、図１に示す基準位置（最下位位置（第１の位置）：ホームポジション）から上方に駆動される。なお、図示のトレイ駆動機構２４はラック２４ａ及びピニオン２４ｂを有しており、モータ等の駆動源（図示せず）によってピニオン２４ｂをラック２４ａに沿って移動させると、これによって原稿給紙トレイ１１が上下方向に移動する。
【００２６】
図１に示すように、原稿排紙トレイ１５は装置筐体の一部分であり、原稿排紙方向下流側に向って斜め上向きに延びる部分が形成されている。そして、ホームポジションにおいては、第２のトレイ部１１ｂの下面が原稿排紙トレイ１５の上面に当接した状態となっている。
【００２７】
図１及び図２を参照すると、原稿給紙トレイ１１がホームポジションに位置付けられている際に、ユーザは原稿給紙トレイ１１に原稿をセットする（ステップＳ１）。このホームポジションは原稿給紙トレイ１１が最も下側に下降した状態であるから、画像形成装置の高さを考慮しても、原稿給紙トレイ１１の位置は十分低く、車椅子を用いる身障者等の身長の低い人にとっても容易に原稿セットを行うことができる。
【００２８】
図１に示すように、第１のトレイ部１１ａには原稿セット検知センサ（原稿積載検知手段）３１が配置されており、原稿給紙トレイ１１に原稿がセットされると、原稿セット検知センサ３１はオンする。制御装置（第１〜第３の制御手段：図示せず）は原稿セット検知センサ３１のオンを監視しており、原稿セット検知センサ３１がオンすると（ステップＳ２）、制御装置は、原稿リミットセンサ（原稿リミット検知手段）３２がオフであるか否かを調べる。
【００２９】
原稿リミットセンサ３２は原稿給紙トレイ１１上にセットされる原稿量を検知するために用いられ、制御装置は原稿リミットセンサ３２がオンしていると（ステップＳ３）、制御装置は画像形成装置に設けられた操作パネル（図示せず）上に、例えば、「原稿が多すぎます減らしてください」というメッセージを表示する（ステップＳ４）。そして、このメッセージに応じてユーザは原稿給紙トレイ１１上の原稿量を減らすことになる。
【００３０】
ステップＳ３において、原稿リミットセンサ３２がオフであると、制御装置はトレイ駆動機構２４を制御して、原稿給紙トレイ１１によって上方に向って移動させる（つまり、原稿給紙トレイ１１をホームポジションから上昇させる（ステップＳ５）。
【００３１】
原稿給紙トレイ１１の最上位位置にある原稿がピックアップローラ１４ｂに当接して（ステップＳ６）、ピックアップローラ１４ｂが上側に押圧されると、上限位置検知センサ（上限位置検知手段）３３がオンする。制御装置は上限位置検知センサ３３がオンしたか否かを監視しており、上限位置検知センサ３３がオンすると（ステップＳ７）、制御装置はトレイ駆動機構２４を停止して（ステップＳ８）、最上位位置の原稿がピックアップローラ１４ｂに当接した状態とする（最上位位置にある原稿がピックアップローラ１４ｂに当接した状態を以下原稿給送可能位置（第２の位置）と呼ぶ）。この原稿給送可能位置は、例えば、図３に示す状態であり、制御装置は待機状態となる。
【００３２】
その後、制御装置は、画像形成装置に備えられたコピーボタン（図示せず）が押されたか否かを監視して、コピーボタンが押されると（ステップＳ９）、制御装置は原稿給送機構１２を駆動して原稿給紙動作を開始する（ステップＳ１０）。つまり、ピックアップローラ１４ｂによって原稿がピックアップされ、分離ローラ１４ｄによって、ピックアップローラ１４ｂでピックアップされた原稿は、その一枚のみが分離されてフィード機構１４ｃによって下流側に送出される。
【００３３】
図１及び図３に示すように、原稿給送機構１２は、フィード機構１４ｃの下流側に配置された原稿送り部２０を有しており、この原稿送り部２０は、大径の駆動ローラ２５と小径の従動ローラ２６〜２８とを備えており、従動ローラ２６〜２８の周面は駆動ローラ２５の周面に当接している。そして、原稿は原稿送り部２０によって第１の原稿読取位置ＧＰ１に送られた後、第２の原稿読取位置ＧＰ２を通過して、原稿排紙トレイ１５に排紙される。
【００３４】
原稿が給送されるにつれて、原稿給紙トレイ１１上の原稿枚数が減っていくが、前述のように上限位置検知センサ３３によって原稿給紙トレイ１１上の最上位原稿が検知されており、この検知結果に応じて制御装置はトレイ駆動機構２４を制御して、最上位原稿を常にピックアップローラ１４ｂに対して同一の位置に位置づける（つまり、最上位に位置する原稿は原稿給送可能位置に位置づけられる）。
【００３５】
図３及び図４も参照して、原稿排紙トレイ１５には排出原稿検知センサ（原稿排紙検知手段）３４が配置されており、原稿排紙トレイ１５に原稿が排紙されると、排出原稿検知センサ３４がオンする。制御装置は排出原稿検知センサ３４のオン／オフを監視しており、排出原稿検知センサ３４がオンとなると（ステップＳ１１）、制御装置は全原稿の給送完了まで待つことになる（全原稿給送完了：ステップＳ１２）。原稿が全て給紙されると、原稿セット検知センサ３１がオフとなり、原稿セット検知センサ３１がオフとなると（ステップＳ１３）、制御装置は、トレイ駆動機構２４を制御して予め設定された量だけ原稿給紙トレイ１１を上昇させて、直ちにトレイ駆動機構２４を停止する（ステップＳ１４）。
【００３６】
この状態が図４に示す状態であり、図４に示す状態は、原稿給紙トレイ１１上の全原稿が給紙された後の原稿給紙トレイ１１の位置よりも原稿給紙トレイ１１が上側に位置付けられることになる（以下この位置を原稿トレイ上方退避位置（第３の位置と呼ぶ））。また、図４に示す状態では、ピックアップローラ１４ｂが原稿給紙トレイ１１によって上方に押される結果、ローラハウジング１４ａは原稿搬送方向下流側に位置するフィードローラ１４１の軸芯を支点として上向きに揺動することになる。
【００３７】
原稿給紙トレイ１１が原稿トレイ上方退避位置にある際には、原稿排紙トレイ１５上面と原稿給紙トレイ１１の下面との間隔は十分に広く、原稿排紙トレイ１５に原稿が排紙された後においても、その最上位位置の原稿と原稿給紙トレイ１１の下面との距離は大きいため、ユーザは両手を用いて原稿排紙トレイ１５から原稿を容易に取り出すことができる。
【００３８】
続いて、制御装置は、排出原稿検知センサ３４がオフとなったか否かを監視して（ステップＳ１５）、ステップＳ１４を行った後、所定の時間排出原稿検知センサ３４がオンであると、制御装置は、例えば、操作パネル上に「原稿を取り除いてください」というメッセージを表示してユーザに原稿取り除きを催促する（ステップ１６）。
【００３９】
一方、排出原稿検知センサ３４がオフとなると、制御装置は原稿が取り除かれたと判断して、トレイ駆動機構２４を制御して、原稿給紙トレイ１１を原稿トレイ上方退避位置から降下させる（ステップＳ１７）。原稿給紙トレイ（第１のトレイ部１１ａ）がホームポジションに位置することを検知するための下限位置検知センサ（下限位置検知手段）３５が装置筐体に取り付けられており、制御装置は原稿給紙トレイ１１の降下を開始して、下限位置検知センサ３５がオンすると（ステップＳ１８）、トレイ駆動機構２４を停止する。つまり、原稿給紙トレイ１１の降下を停止して（ステップＳ１９）、原稿給紙トレイ１１をホームポジションに位置付ける。
【００４０】
このようにして、原稿セットの際には、原稿給紙トレイを最下限位置であるホームポジションに位置づけ、原稿給紙が終了すると、原稿給紙トレイをさらに所定の量だけ上昇させるようにしたので、原稿のセットが容易となるばかりでなく、読み取り後の原稿取り出しも容易に行えることになる。
【産業上の利用可能性】
【００４１】
原稿給紙トレイに原稿がセットされると、原稿給紙トレイをホームポジションから上方向に移動させて最上位に位置する原稿を原稿給送機構に対して原稿給送可能となる原稿給送可能位置に位置付け、原稿の給送開始後、原稿給紙トレイ上の原稿の減少に応じて原稿給紙トレイの最上位に位置する原稿を原稿給送可能位置に位置付けつつ、原稿給紙トレイ上の原稿が全て給送されると、原稿給紙トレイ上の原稿が全て給送された位置よりも原稿給紙トレイを上側に移動させて原稿トレイ上方退避位置に位置付けるようにしたので、原稿セットの際には原稿給紙トレイの高さが低くなり、読み取り後の原稿を原稿排紙トレイから取り出す際には、原稿排紙トレイと原稿給紙トレイとの間隔が広くなり、原稿のセットが容易となりしかも読み取り後の原稿の取出しをスムーズに行うことができる結果、複写機等の画像形成装置に適用できる。
【図面の簡単な説明】
【００４２】
【図１】本発明による原稿給送装置の一例を原稿給紙トレイがホームポジション（第１の位置にある状態で示す断面図である。
【図２】図１に示す原稿給送装置の動作を説明するためのフローチャートである。
【図３】本発明による原稿給送装置の一例を原稿給紙トレイが原稿給送可能位置（第２の位置）にある状態で示す断面図である。
【図４】本発明による原稿給送装置の一例を原稿給紙トレイが原稿トレイ上方退避位置（第３の位置）にある状態で示す断面図である。
【符号の説明】
【００４３】
１０  原稿給送装置
１１  原稿給紙トレイ
１１ａ，１１ｂ  トレイ部
１２  原稿給送機構
１３  スキャナユニット
１４  原稿給紙ローラ部
１５  原稿排紙トレイ
１６  排紙ローラ対
２４  トレイ駆動機構
３１  原稿セット検知センサ
３２  原稿リミット検知センサ
３３  上限位置検知センサ
３４  排出原稿検知センサ
３５  下限位置検知センサ
【図１】
2006016093.tif 000003
【図２】
2006016093.tif 000004
【図３】
2006016093.tif 000005
【図４】
2006016093.tif 000006